(57)【特許請求の範囲】
【請求項１】
エンジン（５）からの動力を主ミッションケース（１５）内を介して該主ミッションケース（１５）の左右端部に設けた前輪アクスル（１６）内へ伝達し、該前輪アクスル（１６）内で上側の上部伝動ケース（１０１）内から上下方向の伝動軸（１０４）を介して下側の下部伝動ケース（１７）内へ伝達して該下部伝動ケース（１７）から突出する車軸（１８）を駆動する構成とし、前記上部伝動ケース（１０１）を主ミッションケース（１５）に固定し、前記下部伝動ケース（１７）を前記上部伝動ケース（１０１）に対して前記伝動軸（１０４）回りに回動可能に構成した走行車両において、主ミッションケース（１５）内の副変速駆動ギヤ（６０）に噛み合う副変速従動側ギヤ（６１）と、該副変速従動側ギヤ（６１）と一体回転する主変速伝動軸（６２）と、該主変速伝動軸（６２）と一体回転する主変速ギヤ（６９）と、主変速ギヤ（６９）に選択的に噛み合う大径カウンタギヤ（７３）及び小径カウンタギヤ（７２）と、該大径カウンタギヤ（７３）及び小径カウンタギヤ（７２）と一体回転するカウンタ軸（７１）と、該カウンタ軸（７１）の左端部に設けた４輪ブレーキ装置（４６）と、小径カウンタギヤ（７２）と噛み合う前輪デフ入力ギヤ（７６）とを設け、大径カウンタギヤ（７３）を前輪デフ入力ギヤ（７６）の左側に配置し、前輪デフ入力ギヤ（７６）の左側に左側のケース体（７７ａ）を設け、前輪デフ入力ギヤ（７６）の右側に右側のケース体（７７ｂ）を設け、前輪デフ入力ギヤ（７６）と左側のケース体（７７ａ）と右側のケース体（７７ｂ）とを備えて前輪デフ装置（７７）を構成し、左側のケース体（７７ａ）の左右幅を右側のケース体（７７ｂ）の左右幅よりも大きく構成し、左側のケース体（７７ａ）と右側のケース体（７７ｂ）とに内ギヤ（８５）を設け、該内ギヤ（８５）と噛み合うギヤ（８６）を備えるサイドクラッチ体（３８）を左右それぞれ設け、該サイドクラッチ体（３８）から左右それぞれの後輪伝動軸（２０）を介して左右の後輪（２３）を駆動する構成とし、サイドクラッチ体（３８）が前輪デフ装置（７７）から左右に延びるデフ出力軸（７８）上で左右にスライドしてサイドクラッチ体（３８）のギヤ（８６）と内ギヤ（８５）との噛み合いを解除する構成とし、前記上部伝動ケース（１０１）及び前記下部伝動ケース（１７）を前記伝動軸（１０４）に沿った分割面（ｂ１，ｂ２，ｂ３）より分割可能に構成したことを特徴とする走行車両。
【発明の詳細な説明】
【０００１】
【発明の属する技術分野】
この発明は、機体に対して操向可能な車軸を備える走行車両に関するものである。
【０００２】
【従来の技術】
従来、トラクタや乗用型田植機等の農作業機において、左右それぞれの前輪へ伝動するにあたり、原動機であるエンジンからの動力を上側の上部伝動ケース内から上下方向の伝動軸を介して下側の下部伝動ケース内へ伝達して該下部伝動ケースから突出する前輪車軸を駆動する構成とし、前記上部伝動ケースを機体側に固定し、前記下部伝動ケースを前記上部伝動ケースに対して前記伝動軸回りに回動可能に構成し、左右それぞれの前輪を前記伝動軸回りに操向可能に構成した走行車両を備えている。そして、前記上部伝動ケース及び前記下部伝動ケースは、それぞれ筒状の一体ケースにより構成されている。
【０００３】
【発明が解決しようとする課題】
従来、上記上部伝動ケース及び上記下部伝動ケースがそれぞれ筒状の一体ケースにより構成されているので、上記上下方向の伝動軸を含む部品をケース内に組み付けたりメンテナンス等のために該ケース内から取り外したりするのが容易に行えないという課題がある。
【０００４】
【課題を解決するための手段】
この発明は、上記課題を解決すべく次の技術的手段を講じた。
すなわち、請求項１に係る発明は、エンジン（５）からの動力を主ミッションケース（１５）内を介して該主ミッションケース（１５）の左右端部に設けた前輪アクスル（１６）内へ伝達し、該前輪アクスル（１６）内で上側の上部伝動ケース（１０１）内から上下方向の伝動軸（１０４）を介して下側の下部伝動ケース（１７）内へ伝達して該下部伝動ケース（１７）から突出する車軸（１８）を駆動する構成とし、前記上部伝動ケース（１０１）を主ミッションケース（１５）に固定し、前記下部伝動ケース（１７）を前記上部伝動ケース（１０１）に対して前記伝動軸（１０４）回りに回動可能に構成した走行車両において、主ミッションケース（１５）内の副変速駆動ギヤ（６０）に噛み合う副変速従動側ギヤ（６１）と、該副変速従動側ギヤ（６１）と一体回転する主変速伝動軸（６２）と、該主変速伝動軸（６２）と一体回転する主変速ギヤ（６９）と、主変速ギヤ（６９）に選択的に噛み合う大径カウンタギヤ（７３）及び小径カウンタギヤ（７２）と、該大径カウンタギヤ（７３）及び小径カウンタギヤ（７２）と一体回転するカウンタ軸（７１）と、該カウンタ軸（７１）の左端部に設けた４輪ブレーキ装置（４６）と、小径カウンタギヤ（７２）と噛み合う前輪デフ入力ギヤ（７６）とを設け、大径カウンタギヤ（７３）を前輪デフ入力ギヤ（７６）の左側に配置し、前輪デフ入力ギヤ（７６）の左側に左側のケース体（７７ａ）を設け、前輪デフ入力ギヤ（７６）の右側に右側のケース体（７７ｂ）を設け、前輪デフ入力ギヤ（７６）と左側のケース体（７７ａ）と右側のケース体（７７ｂ）とを備えて前輪デフ装置（７７）を構成し、左側のケース体（７７ａ）の左右幅を右側のケース体（７７ｂ）の左右幅よりも大きく構成し、左側のケース体（７７ａ）と右側のケース体（７７ｂ）とに内ギヤ（８５）を設け、該内ギヤ（８５）と噛み合うギヤ（８６）を備えるサイドクラッチ体（３８）を左右それぞれ設け、該サイドクラッチ体（３８）から左右それぞれの後輪伝動軸（２０）を介して左右の後輪（２３）を駆動する構成とし、サイドクラッチ体（３８）が前輪デフ装置（７７）から左右に延びるデフ出力軸（７８）上で左右にスライドしてサイドクラッチ体（３８）のギヤ（８６）と内ギヤ（８５）との噛み合いを解除する構成とし、前記上部伝動ケース（１０１）及び前記下部伝動ケース（１７）を前記伝動軸（１０４）に沿った分割面（ｂ１，ｂ２，ｂ３）より分割可能に構成したことを特徴とする走行車両とした。
【０００５】
【０００６】
【０００７】
【発明の効果】
請求項１に係る走行車両によると、上記上部伝動ケース及び上記下部伝動ケースを上記上下方向の伝動軸に沿った分割面より分割可能に構成しているので、これらのケースを分割することにより、前記伝動軸及び該伝動軸に関連する部品をケース内に組み付けたりメンテナンス等のために該ケース内から取り外したりするのを容易に行える。また、部品の組み付けや分解のためにケース内の形状が制限されず該形状の自由度が増すので、前記上部伝動ケース及び前記下部伝動ケースのコンパクト化を図ることができ、機体のコンパクト化及び軽量化を図ることができる。
【０００８】
そして、主ミッションケース内の副変速駆動ギヤに噛み合う副変速従動側ギヤと、該副変速従動側ギヤと一体回転する主変速伝動軸と、該主変速伝動軸と一体回転する主変速ギヤと、主変速ギヤに選択的に噛み合う大径カウンタギヤ及び小径カウンタギヤと、該大径カウンタギヤ及び小径カウンタギヤと一体回転するカウンタ軸と、該カウンタ軸の左端部に設けた４輪ブレーキ装置と、小径カウンタギヤと噛み合う前輪デフ入力ギヤとを設け、該前輪デフ入力ギヤの左側に左側のケース体を設け、前輪デフ入力ギヤの右側に右側のケース体を設け、前輪デフ入力ギヤと左側のケース体と右側のケース体とを備えて前輪デフ装置を構成し、左側のケース体の左右幅を右側のケース体の左右幅よりも大きく構成したので、例えば鋳物でケース体を製造する場合、鋳造における鋳型を左右のケース体で共用して鋳型の製造費用を低減し、鋳造後に左右のケース体で異なる加工を施すことで左右それぞれのケース体を製造することができ、製造上のコストを低減することができる。
【０００９】
【００１０】
また、左側のケース体と右側のケース体とに内ギヤを設け、該内ギヤと噛み合うギヤを備えるサイドクラッチ体を左右それぞれ設け、該サイドクラッチ体から左右それぞれの後輪伝動軸を介して左右の後輪を駆動する構成とし、サイドクラッチ体が前輪デフ装置から左右に延びるデフ出力軸上で左右にスライドしてサイドクラッチ体のギヤと内ギヤとの噛み合いを解除することができる。
【００１１】
【発明の実施の形態】
この発明の実施の一形態を図面に基づいて説明する。
図１及び図２は乗用型田植機１を示したものであり、この乗用型田植機１は、走行車両２と該走行車両２の後側に昇降リンク機構３を介して設けた４条植えの苗植付部４とで構成され、前記走行車両２により機体を走行させながら前記苗植付部４を駆動して圃場に同時に４条分の苗を移植していくものである。
【００１２】
走行車両２の前後左右略中央には駆動源であるエンジン５を設け、該エンジン５の上方に操縦席６を配設している。このエンジン５の駆動により、エンジン出力軸５ａから該軸５ａと一体回転するエンジン出力プーリ７、エンジン出力ベルト８を介して２連の中継プーリ９，１０及び該中継プーリ９，１０と一体回転する中継軸１１を駆動し、前記中継プーリ１０から主ミッションケ−ス入力ベルト１２、主ミッションケース入力プーリ１３を介して該プーリ１３と一体回転する主ミッションケース入力軸１４へ伝動し、該入力軸１４により主ミッションケ−ス１５内へ動力を伝達する。そして、前記主ミッションケ−ス１５の左右端部に固着した前輪アクスル１６の前輪下部伝動ケ−ス１７内へ伝動し、該ケース１７の下部に突出している前輪車軸１８を駆動して左右の前輪１９を駆動するようになっている。また、前記主ミッションケ−ス１５の後部から後方に動力を伝達する左右の後輪伝動軸２０を設け、該左右の後輪伝動軸２０の駆動により左右それぞれの後輪伝動ケ−ス２１内に伝動し該後輪伝動ケ−ス２１から突出する後輪車軸２２を駆動して左右の後輪２３を駆動するようになっている。従って、走行車両２は、前輪１９及び後輪２３を駆動して走行する構成となっている。
【００１３】
尚、前記後輪伝動軸２０の上方にエンジン５を配置した構成となっており、後輪２３の上端より前記エンジン５の上端が低く構成している。従って、前輪１９の操向可能角度が大きくなるように後輪伝動軸２０を機体の左右中央に寄せてエンジン５と上下に重複する構成としながら、後輪２３の上端よりエンジン５の上端が低くなるようにエンジン５と後輪伝動軸２０との上下方向の間隔を狭くしてエンジン５を低位に配置することにより、機体の低重心化を図ることができ、左右の車輪トレッドが小さい４条植えの田植機の機体の左右方向への転倒を抑制することができる。また、エンジン５を低位に配置することにより、エンジン５の上方の操縦席６の低位置化を図ることができ、機体の低重心化を図ることができる。また、前輪１９の上端よりエンジン出力軸５ａが低位となるようにエンジン５を配置しており、エンジン５を低位に配置することにより機体の低重心化を図っている。また、エンジン出力軸５ａ、中継軸１１及び主ミッションケース入力軸１４を略同高さに構成し、エンジン出力ベルト８及び主ミッションケース入力ベルト１２の上面を前後方向において略水平に構成しているので、ステップフロアＳを低く構成でき、それに伴って操縦席６の低位置化を図ることができ、機体の低重心化を図ることができる。また、前輪アクスルの上方に主ミッションケース入力ベルト１２を配置し、前後方向において前記前輪アクスルを中継プーリ１０と主ミッションケース入力プーリ１３との間に設けているので、前記中継プーリ１０や前記主ミッションケース入力プーリ１３を下位に配置しても前記前輪アクスルと干渉しないため、主ミッションケ−ス入力ベルト１２を前記前輪アクスルに干渉しない極限まで下げることができ、これに伴ってステップフロアＳを低く構成できて操縦席６の低位置化を図ることができ、機体の低重心化を図ることができる。
【００１４】
苗植付部４は、油圧昇降シリンダ２４の伸縮による昇降リンク機構３の上下方向の回動により、上下に昇降するように設けられている。また、苗植付部４は、前記主ミッションケ−ス１５からの動力により、該ケース１５から後方へ延びる中途部で屈曲可能な植付伝動軸２６により伝動されて作動する構成となっている。尚、前記主ミッションケ−ス１５内には、苗植付部４の駆動の入切を行う植付クラッチ（図示せず）を設けている。
【００１５】
また、走行車体２の前部となる前記操縦席６の前方にはステアリングハンドル２７を設け、該ステアリングハンドル２７の操作によりステアリング軸２８及び主ミッションケ−ス１５の下部に設けたピットマンア−ム２９及びタイロッド２９ａを介して前輪アクスル１６の前輪下部伝動ケ−ス１７を横方向に回動して左右の前輪１９を操向させ、操舵するようになっている。前記ステアリングハンドル２７の左側には、主ミッションケ−ス１５内のギヤの噛み合いを切り替えて変速するための主変速レバ−３０を設けている。前記ステアリングハンドル２７の右側には、エンジン５の回転数を変更させるためのスロットルレバー３１を設けている。前記主変速レバ−３０及び前記スロットルレバー３１は、走行車両２の前部ボンネット３２の左右側面部３２ａからそれぞれ上側に延びた構成となっている。
【００１６】
走行車両２の前部ボンネット３２の左右には、それぞれ前記前部ボンネット３２より低くステップフロアＳより高い膨出部３３を設けている。左側の前記膨出部３３には、機体の走行及び苗植付部４の駆動の停止操作が行える停止レバー３４を設けている。また、右側の前記膨出部３３には、油圧昇降シリンダ２４及び植付クラッチを作動させることにより苗植付部４の昇降及び該苗植付部４の駆動の入切が行える植付・昇降レバー３５を設けている。
【００１７】
前部ボンネット３２の後面部３２ｂには、主ミッションケ−ス１５内のギヤの噛み合いを切り替えて変速するための副変速レバ−３６を設けている。尚、この副変速レバー３６は、通常速と超低速との２段階に切り替えられるようになっており、圃場の畦越え時やトラックへの機体の積込時に超低速に切り替えて安全に機体を走行させることができる。
【００１８】
走行車両２の前部の右寄りの位置には左右それぞれのブレ−キペダル３７を設け、該ブレ−キペダル３７の踏み込み操作により主ミッションケ−ス１５内に設けた左右それぞれのサイドクラッチ体３８を作動させて左右それぞれの後輪２３への伝動を断つと共に該後輪２３を制動する構成となっている。
【００１９】
また、走行車両２の前部の左寄りの位置には、主クラッチペダル３９を設けている。該主クラッチペダル３９は、機体側面視において左右のブレ−キペダル３７と同位置に配置されている。そして、停止レバー３４の後方への操作又は前記主クラッチペダル３９の踏み込み操作により、主ミッションケ−ス入力ベルト１２の上側のテンションプ−リ４０を支持するテンションプ−リア−ム４１を上側へ回動させることで前記テンションプ−リ４０を前記主ミッションケ−ス入力ベルト１２から退避させて、前記主ミッションケ−ス入力ベルト１２を非伝動状態に切り替え、機体の走行及び苗植付部４の駆動を停止するようになっている。また、テンションプ−リア−ム４１の上側への回動に伴って４輪ブレーキ作動アーム４５を操作し、主ミッションケース１５内の４輪ブレーキ装置４６を作動させて左右の前後輪１９，２３を制動する。
【００２０】
苗植付部４は、主として苗載置台５０と植付伝動部５１及び４条分の苗植付装置５２からなり、前記植付伝動軸２６の動力が入力される前記植付伝動部５１を介して伝動され作動する構成となっている。また、苗植付部４の下部には中央部にセンタ−フロ−ト５３及び両側部にサイドフロ−ト５４を設けており、該フロ−ト５３，５４が圃場面を滑走するようになっている。また、該苗植付装置５２が作動すると共に、植付伝動部５１からの動力により左右移動する左右移動棒５５により苗載置台５０を左右移動させ、マット状の苗を苗植付装置５２により一株づつ掻き取って圃場に植え付ける構成となっている。
【００２１】
苗載置台５０には、各条に苗送りベルト５６が設けられている。各条の前記苗送りベルト５６は、下側の駆動ロ−ラ５７と上側の従動ロ−ラ５８とに巻回されている。そして、前記駆動ロ−ラ５７が植付伝動部５１からの動力により回転する構成となっており、苗載置台５０の左右移動終端において苗送りベルト５６が苗を苗植付装置５２側に所定量づつ順次移送する。
【００２２】
次に、主ミッションケース１５内の伝動構成について説明すると、主ミッションケース入力プーリ１３と一体回転する主ミッションケース入力軸１４により主ミッションケース１５内に伝動され、該入力軸１４と一体回転する副変速駆動側ギヤ６０と噛み合う副変速従動側ギヤ６１が駆動し、該ギヤ６１と一体回転する主変速伝動軸６２へ伝動する。尚、前記副変速駆動側ギヤ６０と前記副変速従動側ギヤ６１とはそれぞれ大径ギヤ６０ａ，６１ａと小径ギヤ６０ｂ，６１ｂとを備えると共に、前記副変速駆動側ギヤ６０は副変速レバ−３６の操作により作動する副変速操作シフタ６３により主ミッションケース入力軸１４に沿ってスライド可能に設けられている。従って、副変速操作シフタ６３により２段階に伝動比が切り替えられるようになっており、副変速駆動側の小径ギヤ６０ｂと副変速従動側の大径ギヤ６１ａとが噛み合う状態（図５に示す状態）のとき低速（超低速）で伝動され、副変速駆動側の大径ギヤ６０ａと副変速従動側の小径ギヤ６１ｂとが噛み合う状態のとき高速（通常速）で伝動される。
【００２３】
前記主変速伝動軸６２の右端部には該軸６２と一体回転する植付駆動ギヤ６４を設け、該ギヤ６４と噛み合う植付従動ギヤ６５を介して植付ベベルギヤ６６，６７へ伝動し、後方へ延びる植付伝動軸２６へ伝動して苗植付部４を駆動するようになっている。尚、前記植付駆動ギヤ６４及び前記植付従動ギヤ６５はこれらのギヤの右側に設けたカバー６８を開けて互いのギヤ６４，６５を入れ換えることができ、機体の走行速度に対する苗植付部４の駆動速度を変更して植付株間を変更することができる。
【００２４】
そして、前記主変速伝動軸６２と一体回転する主変速ギヤ６９が駆動する。尚、主変速ギヤ６９は、大径ギヤ６９ａと小径ギヤ６９ｂとを備えると共に、主変速レバ−３０の操作により作動する主変速操作シフタ７０により主変速伝動軸６２に沿ってスライド可能に設けられている。そして、主変速大径ギヤ６９ａとカウンタ軸７１と一体回転する小径カウンタギヤ７２とが噛み合う状態（図５に示す状態）のとき高速（路上走行速）で伝動され、それから主変速ギヤ６９が左方にスライドし主変速小径ギヤ６９ｂとカウンタ軸７１と一体回転する大径カウンタギヤ７３とが噛み合う状態のとき低速（植付作業速）で伝動される。更に主変速ギヤ６９が左方にスライドすると、主変速小径ギヤ６９ｂと主ミッションケース入力軸１４上の逆転用小径カウンタギヤ７４ｂとが噛み合い、該逆転用小径カウンタギヤ７４ｂと一体の逆転用大径カウンタギヤ７４ａと噛み合うカウンタ軸７１上の後進用カウンタギヤ７５へ伝動され、前記カウンタ軸７１へ前述とは逆方向の回転で伝動され、機体を後進させる後進速となる。尚、前記逆転用小径カウンタギヤ７４ｂ及び前記逆転用大径カウンタギヤ７４ａは、主ミッションケース入力軸１４に対して遊転するように設けられている。また、主変速操作シフタ７０により主変速ギヤ６９をどのギヤとも噛み合わない状態とすることができ、主変速レバー３０の操作により前輪１９及び後輪２３へ伝動しない状態（中立）とすることができる。尚、前記カウンタ軸７１の左端部にはシュー式の４輪ブレーキ装置４６を設けており、この４輪ブレーキ装置４６により左右の前後輪１９，２３に制動力を付与する構成となっている。
【００２５】
そして、カウンタ軸７１と一体回転する前記小径カウンタギヤ７２から該ギヤ７２と噛み合う前輪デフ入力ギヤ７６により前輪デフ装置７７へ伝動し、該前輪デフ装置７７から左右それぞれに延びるデフ出力軸７８により左右それぞれの前輪アクスル１６を介して左右それぞれの前輪１９へ伝動する。前記前輪デフ装置７７は、前記前輪デフ入力ギヤ７６の左右にデフケースを構成するケース体７７ａ，７７ｂを設けている。この左右のケース体７７ａ，７７ｂは、左側のケース体７７ａが左右幅が若干大きい略同形状に構成されているので、例えば鋳物でケース体７７ａ，７７ｂを製造する場合、鋳造における鋳型を左右のケース体７７ａ，７７ｂで共用して鋳型の製造費用を低減し、鋳造後に左右のケース体７７ａ，７７ｂで若干異なる加工を施すことで左右それぞれのケース体７７ａ，７７ｂを製造することができ、製造上のコストを低減することができる。尚、左右のケース体７７ａ，７７ｂを同形状としてもよく、同様に鋳物でケース体７７ａ，７７ｂを製造する場合に鋳造における鋳型を左右のケース体７７ａ，７７ｂで共用することができ、製造上のコストを低減することができる。
【００２６】
前輪デフ装置７７の左側のケース体７７ａの左端部にはデフロック爪部７９を構成しており、該爪７９部と噛み合うデフロック爪８０を備えるデフロック体８１をデフ出力軸７８上に該軸７８と一体回転するように設けている。前記デフロック体８１は、デフ出力軸７８に沿って左右にスライド可能に設けられると共にデフロック体付勢スプリング８２により左側のケース体７７ａとは反対側に付勢されており、ステップフロアＳに設けた前輪デフロックペダル８３の踏み込み操作により作動するデフロック操作シフタ８４により、前記デフロック体付勢スプリング８２に抗して前記左側のケース体７７ａ側（右側）へスライドするようになっている。従って、デフロック操作シフタ８４により前記デフロック体８１をスライドさせてデフロック爪８０と前記左側のケース体７７ａのデフロック爪部７９とを噛み合わせ、前記ケース体７７ａと左右のデフ出力軸７８とを一体回転させて左右の前輪１９をデフロックする構成となっている。
【００２７】
また、前輪デフ装置７７の左右それぞれのケース体７７ａ，７７ｂには、内径に歯面を有する内ギヤ８５を設けている。また、該内ギヤ８５と噛み合うギヤ８６を備えるサイドクラッチ体３８を左右それぞれ設けており、前記ケース体７７ａ，７７ｂとサイドクラッチ体３８とが一体回転するようになっている。そして、前記サイドクラッチ体３８の前記ギヤ８６と噛み合う左右それぞれの後輪伝動ギヤ８８へ伝動する。そして、前記左右それぞれの後輪伝動ギヤ８８から後輪カウンタ軸８９を介して後輪伝動ギヤ８８と一体回転する左右それぞれの駆動ベベルギヤ９０へ伝動し、該駆動ベベルギヤ９０と噛み合う左右それぞれの従動ベベルギヤ９１を介して左右それぞれの後輪伝動軸２０へ伝動する構成となっている。
【００２８】
尚、左右の後輪伝動軸２０は、左右に分割される主ミッションケース１５の左側のケース部１５ａに設けられ、互いの間隔を小さくして機体の左右中央に寄せ、左右トレッドの狭い前輪１９の操向において邪魔にならないように配置している。
【００２９】
前記サイドクラッチ体３８には、ブレーキディスク９２を設けている。また、前記サイドクラッチ体３８は、前輪デフ装置７７のケース体７７ａ，７７ｂに案内されてデフ出力軸７８上で左右にスライド可能に設けられると共にサイドクラッチ体付勢スプリング９３により前記ケース体７７ａ，７７ｂに備える内ギヤ８５側（左右中央方向）に付勢されており、左右それぞれのブレ−キペダル３７の踏み込み操作により作動するサイドクラッチ操作シフタ９４により、前記サイドクラッチ体付勢スプリング９３に抗して前記内ギヤ８５とは反対側（右側）へスライドするようになっている。従って、サイドクラッチ操作シフタ９４によりサイドクラッチ体３８をスライドさせ、該サイドクラッチ体３８のギヤ８６と前輪デフ装置７７のケース体７７ａ，７７ｂの内ギヤ８５との噛み合いを解除すると共にブレーキディスク９２を主ミッションケース１５の内壁面に圧接し、左右それぞれの後輪１９への伝動を断つと共に該後輪１９を制動する構成となっている。尚、サイドクラッチ体３８のギヤはサイドクラッチ体３８の左右スライドに拘らず後輪伝動ギヤ８８と噛み合うように構成されており、前記ブレーキディスク９２による制動力が後輪２３へ伝達されるようになっている。
【００３０】
図６に示すように、前輪アクスル１６は、前輪上部伝動ケ−ス１０１と前輪下部伝動ケ−ス１７で構成され、前記前輪上部伝動ケ−ス１０１を主ミッションケ−スに固着して設けられている。主ミッションケ−スから突出するデフ出力軸７８の端部が前記前輪上部伝動ケ−ス１０１内の駆動ベベルギヤ１０２に係合し、該ギヤ１０２へ伝動する構成となっている。そして、前輪上部伝動ケ−ス１０１内において、前記駆動ベベルギヤ１０２と噛み合う従動ベベルギヤ１０３へ伝動し、該従動ベベルギヤ１０３と一体回転する上下方向の伝動軸１０４へ伝動する。尚、前記上下方向の伝動軸１０４を軸受するベアリング１０５，１０６を前記従動ベベルギヤ１０３の上下に設けており、下側のベアリング１０６の下方には前輪上部伝動ケ−ス１０１内の潤滑油が外へ漏れ出さないようにオイルシ−ル１０７を設けている。また、前輪上部伝動ケ−ス１０１は、背面視で前記上下方向の伝動軸１０４に沿って該軸１０４と重複する位置に分割面ｂ１を設けて左右に分割可能に構成しており、締付ボルト（図示せず）により前記分割面で左右の割りケ−ス１０１ａ，１０１ｂを合わせて締め付けることによりケ−スが構成されるようになっている。
【００３１】
前記上下方向の伝動軸１０４は、前記前輪上部伝動ケ−ス１０１から下方に突出しており、その突出部が前輪下部伝動ケ−ス１７内に突入している。上下方向の伝動軸１０４の下端部には該軸１０４と一体回転する下部駆動ベベルギヤ１０８を設けており、該ギヤ１０８と噛み合う下部従動ベベルギヤ１０９へ伝動する。そして、前記下部従動ベベルギヤ１０９と一体回転する左右方向の前輪車軸１８を駆動する構成となっている。尚、前輪下部伝動ケ−ス１７内において、前記上下方向の伝動軸１０４を軸受するベアリング１１０，１１１を前記下部駆動ベベルギヤ１０８の上側に２個設けており、前輪車軸１８を軸受するベアリング１１２，１１３を下部従動ベベルギヤ１０９の左右に設けている。また、上下方向の伝動軸１０４部の前輪下部伝動ケ−ス１７の上端部及び前輪車軸１８部の前輪１９側の前輪下部伝動ケ−ス１７の端部には、前輪下部伝動ケ−ス１７内の潤滑油が外へ漏れ出さないようにオイルシ−ル１１４，１１５をそれぞれ設けている。また、前輪下部伝動ケ−ス１７は、側面視で前記上下方向の伝動軸１０４に沿って該軸１０４と重複する位置に分割面ｂ２を設けて前後に分割可能に構成しており、締付ボルト（図示せず）により前記分割面ｂ２で前後の割りケ−ス１７ａ，１７ｂを合わせて締め付けることによりケ−スが構成されるようになっている。尚、前記分割面ｂ２は、前輪車軸１８を通過するように設けられている。また、前輪下部伝動ケ−ス１７は、前輪上部伝動ケ−ス１０１に対して上下方向の伝動軸１０４回りに回動するように設けられ、ステアリングハンドル２７の操作により作動するタイロッド２９ａにより回動操作される構成となっている。
【００３２】
以上により、この乗用型田植機１は、エンジン５からの動力を上側の前輪上部伝動ケ−ス１０１内から上下方向の伝動軸１０４を介して下側の前輪下部伝動ケ−ス１７内へ伝達して該前輪下部伝動ケ−ス１７から突出する前輪車軸１８を駆動する構成とし、前記前輪上部伝動ケ−ス１０１を機体側に固定し、前記前輪下部伝動ケ−ス１７を前記前輪上部伝動ケ−ス１０１に対して前記伝動軸１０４回りに回動可能に構成し、前記前輪上部伝動ケ−ス１０１及び前記前輪下部伝動ケ−ス１７を前記伝動軸１０４に沿った分割面ｂ１，ｂ２より分割可能に構成している。更に、前輪上部伝動ケ−ス１０１の分割面ｂ１と前輪下部伝動ケ−ス１７の分割面ｂ２との方向を互いに異ならせ、また前輪下部伝動ケ−ス１７の分割面ｂ２を前輪車軸１８に沿って設けている。
【００３３】
よって、前輪上部伝動ケ−ス１０１及び前輪下部伝動ケ−ス１７を上下方向の伝動軸１０４に沿った分割面ｂ１，ｂ２より分割可能に構成しているので、これらのケース１０１，１７を分割することにより、前記伝動軸１０４や該伝動軸１０４に関連するベアリング１０５，１０６，１１０，１１１及びオイルシ−ル１０７，１１４をケース内に組み付けたりメンテナンス等のために該ケース内から取り外したりするのを容易に行える。また、前記前輪上部伝動ケ−ス１０１及び前記前輪下部伝動ケ−ス１７において、部品の組み付けや分解のためにケース内の形状が制限されず該形状の自由度が増すので、コンパクト化を図ることができ、機体のコンパクト化及び軽量化を図ることができる。尚、前記伝動軸１０４を軸受する前輪上部伝動ケ−ス１０１における下側のベアリング１０６及び前輪下部伝動ケ−ス１７における下側のベアリング１１１はそれぞれケ−スの内面の溝形状により固定されており、これらのベアリング１０６，１１１等を固定するためのスナップリング等を不要として部品点数の低減化を図り、コストダウンを図っている。
【００３４】
また、前輪上部伝動ケ−ス１０１の分割面と前輪下部伝動ケ−ス１７の分割面とをこれらの分割面が略垂直に交差するように方向を互いに異ならせているので、これらのケース１０１，１７で構成される前輪アクスル１６全体は機体の自重による左右方向の曲げの負荷が生じても前輪１９の走行抵抗による前後方向の曲げの負荷が生じても所望の強度を得ることができ、どの方向の負荷に対しても強度を保つことができて前輪アクスル１６全体の剛性の向上を図ることができ、これらのケース１０１，１７を割りケースで構成しながら全体の強度を向上させることができる。
【００３５】
また、前輪下部伝動ケ−ス１７の分割面ｂ２を前輪車軸１８に沿って設けているので、前記前輪車軸１８及び該車軸１８に関連するベアリング１１２，１１３及びオイルシ−ル１１５をケース内に組み付けたりメンテナンス等のために該ケース内から取り外したりするのを容易に行える。
【００３６】
ところで、図７は、内部の伝動構成は前述のものと同様であるが、前輪上部伝動ケ−ス１０１及び前輪下部伝動ケ−ス１７が前述とは異なる構成を示したものである。すなわち、前記前輪上部伝動ケ−ス１０１は、形状は前述のものと同様であるが、側面視で前記上下方向の伝動軸１０４に沿って該軸１０４と重複する位置に分割面を設けて前後に分割可能に構成している。また、前輪下部伝動ケ−ス１７は、背面視で前記上下方向の伝動軸１０４に沿って該軸１０４と重複する位置に分割面ｂ３を設けて左右に分割可能に構成している。これにより、前輪下部伝動ケ−ス１７の剛性のために前記分割面を広くとる必要がある代わりに前記前輪下部伝動ケ−ス１７の左右幅を小さくすることができ、植付作業において既に苗を植え付けた位置を機体が走行するとき、該ケース１７が植付苗に干渉するのを抑えることができる。
【００３７】
尚、この発明の実施の形態は４条植えの乗用型田植機１について詳述したが、本発明は４条植えのものに限定されるものではない。
【図面の簡単な説明】
【図１】乗用型田植機の側面図
【図２】乗用型田植機の平面図
【図３】エンジンから主ミッションケース内への伝動構成を示す側面図
【図４】主ミッションケ−ス内の伝動構成を示す展開平面断面図
【図５】主ミッションケ−ス内の伝動軸の位置を示す側面図
【図６】前輪アクスルを示す背面断面図
【図７】他の前輪アクスルを示す背面断面図
【符号の説明】
２…走行車両、５…エンジン、１６…前輪アクスル、１７…前輪下部伝動ケ−ス、１８…前輪車軸、１９…前輪、１０１…前輪上部伝動ケ−ス、１０４…上下方向の伝動軸、ｂ１，ｂ２，ｂ３…分割面
【図１】
0004296686.tif 000002
【図２】
0004296686.tif 000003
【図３】
0004296686.tif 000004
【図４】
0004296686.tif 000005
【図５】
0004296686.tif 000006
【図６】
0004296686.tif 000007
【図７】
0004296686.tif 000008